(57)【要約】【課題】本発明は、高いコントラスト比を支援するプラズマディスプレイパネルの駆動方法及び駆動装置を提供する。【解決手段】本発明の実施の形態によるプラズマディスプレイパネルの駆動方法は、多数のスキャン電極ラインが、ｍ(ｍは、２以上の整数)個のグループに分けられて駆動されるプラズマディスプレイパネルの駆動方法であって、特定フレームにおいて、前記ｍ個のグループのうち一つ以上のグループに属する前記スキャン電極ラインに、第１の電圧を有するｐ(ｐは、１以上の自然数)個の第１のリセットパルスが印加されるステップと、前記特定フレームにおいて、前記一つ以上のグループを除いた残りのグループに属する前記スキャン電極ラインに、前記第１の電圧と異なる第２の電圧を有するｑ(ｑは、１以上の自然数)個の第２のリセットパルスが同時に印加されるステップとを含む。【選択図】図４
2006154830.tif 000002
【特許請求の範囲】
【請求項１】
多数のスキャン電極ラインが、ｍ(ｍは、２以上の整数)個のグループに分けられて駆動されるプラズマディスプレイパネルの駆動方法であって、特定フレームにおいて、前記ｍ個のグループのうち一つ以上のグループに属する前記スキャン電極ラインに、第１の電圧を有するｐ(ｐは、１以上の自然数)個の第１のリセットパルスが印加されるステップと、前記特定フレームにおいて、前記一つ以上のグループを除いた残りのグループに属する前記スキャン電極ラインに、前記第１の電圧と異なる第２の電圧を有するｑ(ｑは、１以上の自然数)個の第２のリセットパルスが同時に印加されるステップとを含むことを特徴とするプラズマディスプレイパネルの駆動方法。
【請求項２】
前記ｐ個の第１のリセットパルスと、前記ｑ個の第２のリセットパルスとは、前記特定フレームを構成するサーブフィールドのリセット区間に印加されることを特徴とする請求項１に記載のプラズマディスプレイパネルの駆動方法。
【請求項３】
特定フレームにおいて、前記ｍ個のグループのうち一つ以上のグループに属するスキャン電極ラインに、第１のリセットパルスが印加され、残りのグループに属するスキャン電極には、第２のリセットパルスが印加され、前記第１のリセットパルスが印加された一つ以上のグループに属するスキャン電極ラインには、前記特定フレームにおいて、一つ以上のフレーム以後に、前記第１のリセットパルスが印加され、前記第２のリセットパルスが印加されたグループに属するスキャン電極ラインには、前記特定フレームの次のフレームに、前記第１のリセットパルスが印加されることを特徴とする請求項１に記載のプラズマディスプレイパネルの駆動方法。
【請求項４】
前記第１の電圧は、前記第２の電圧よりも大きいことを特徴とする請求項１に記載のプラズマディスプレイパネルの駆動方法。
【請求項５】
セットアップ放電を起こすための初期化信号を用いて放電セルを初期化するプラズマディスプレイパネルの駆動方法であって、一フレーム期間において、高電圧の前記初期化信号を少なくとも一つのスキャン電極に印加するステップと、前記フレーム期間において、前記高電圧の初期化信号が印加されたスキャン電極以外のスキャン電極に、低電圧の前記初期化信号を印加するステップとを含むことを特徴とするプラズマディスプレイパネルの駆動方法。
【請求項６】
前記高電圧の初期化信号が印加されるスキャン電極を、フレーム期間単位でシフトすることを特徴とする請求項５に記載のプラズマディスプレイパネルの駆動方法。
【請求項７】
前記低電圧の初期化信号が印加されるスキャン電極を、フレーム期間単位でシフトすることを特徴とする請求項６に記載のプラズマディスプレイパネルの駆動方法。
【請求項８】
前記高電圧の初期化信号は、所定個数のフレーム単位で同一のスキャン電極に印加されることを特徴とする請求項５に記載のプラズマディスプレイパネルの駆動方法。
【請求項９】
多数のスキャン電極ラインが、ｍ(ｍは、２以上の整数)個のブロックに分けられて駆動されるプラズマディスプレイパネルの駆動装置であって、特定フレームにおいて、前記ｍ個のブロックのうち一つ以上のブロックに属する前記スキャン電極ラインに、第１の電圧を有するｐ(ｐは、１以上の自然数)個の第１のリセットパルスを生成して供給し、前記特定フレームにおいて、前記一つ以上のブロックを除いた残りのブロックに属する前記スキャン電極ラインに、前記第１の電圧と異なる第２の電圧を有するｑ(ｑは、一つ以上の自然数)個の第２のリセットパルスを生成して供給するリセット駆動回路を備えることを特徴とするプラズマディスプレイパネルの駆動装置。
【請求項１０】
前記リセット駆動回路は、前記スキャン電極ラインの電位が、スキャンバイアス電圧に急激に立ち上がった後、第１の傾きで前記スキャンバイアス電圧とサステイン電圧との和まで立ち上がり、第２の傾きで前記スキャンバイアス電圧(Ｖｓｃ)、前記サステイン電圧(Ｖｓ)及びランプ電圧(Ｖｒａｍｐ)の和まで立ち上がる前記１のリセットパルスを前記スキャン電極ラインに供給し、前記スキャン電極ラインの電位が、第３の傾きでサステイン電圧(Ｖｓ)まで立ち上がり、さらに第４の傾きで前記サステイン電圧(Ｖｓ)及びランプ電圧(Ｖｒａｍｐ)の和まで立ち上がる第２のリセットパルスを前記スキャン電極ラインに供給することを特徴とする請求項９に記載のプラズマディスプレイパネルの駆動装置。
【請求項１１】
前記第２のリセットパルスは、前記スキャン電極ラインの電位が、第５の傾きでサステイン電圧(Ｖｓ)まで立ち上がり、所定の時間保持されることを特徴とする請求項１０に記載のプラズマディスプレイパネルの駆動装置。
【請求項１２】
前記第２のリセットパルスは、直前のサーフフィールドにおいて、放電が発生したセルに供給されることを特徴とする請求項１１に記載のプラズマディスプレイパネルの駆動装置。
【請求項１３】
前記リセット駆動回路は、前記第１及び第２のリセットパルスに含まれた前記サステインパルスを生成するサステインパルス供給部と、前記第１及び第２のリセットパルスに含まれた立上りランプパルスを生成する立上りランプパルス供給部と、前記第１及び第２のリセットパルスに含まれた前記立下りランプパルスを生成する立下りランプパルス供給部と、前記第１のリセットパルスに含まれたスキャンバイアス電圧を生成するスキャンバイアス電圧供給部とを備えることを特徴とする請求項１０に記載のプラズマディスプレイパネルの駆動装置。
【請求項１４】
前記第１の電圧は、前記第２の電圧よりも大きいことを特徴とする請求項１０に記載のプラズマディスプレイパネルの駆動装置。
【請求項１５】
前記ｐ個の第１のリセットパルスと、前記ｑ個の第２のリセットパルスとは、前記特定フレームを構成するサーブフィールドのリセット区間に印加されることを特徴とする請求項９に記載のプラズマディスプレイパネルの駆動装置。
【請求項１６】
特定フレームにおいて、前記ｍ個のブロックのうち一つ以上のブロックに属するスキャン電極ラインに、第１のリセットパルスが印加され、残りのブロックに属するスキャン電極には、第２のリセットパルスが印加され、前記第１のリセットパルスが印加された一つ以上のブロックに属するスキャン電極ラインには、前記特定フレームにおいて、一つ以上のフレーム以後に、前記第１のリセットパルスが印加され、前記第２のリセットパルスが印加されたブロックに属するスキャン電極ラインには、前記特定フレームの次のフレームに、前記第１のリセットパルスが印加されることを特徴とする請求項９に記載のプラズマディスプレイパネルの駆動装置。
【請求項１７】
前記リセット駆動回路は、第１乃至第ｎ(但し、ｎは、自然数)のスキャン電極ラインに形成された前記各ブロックに、前記第１のリセットパルスを非順次的に印加されることを特徴とする請求項９に記載のプラズマディスプレイパネルの駆動装置。
【請求項１８】
前記リセット駆動回路は、第１乃至第ｎ(但し、ｎは、自然数)のスキャン電極ラインに形成された前記各ブロックに印加される前記第１のリセットパルスを、第ｎ個のフレーム単位で繰り返して印加させることを特徴とする請求項９に記載のプラズマディスプレイパネルの駆動装置。
【請求項１９】
前記リセット駆動回路は、前記第１のリセットパルスをフレームそれぞれに含まれた互い異なるサーブフィールドに非順次的に印加されると共に、前記非順次的な印加方式は、周期的に繰り返されることを特徴とする請求項９に記載のプラズマディスプレイパネルの駆動装置。
【発明の詳細な説明】
【技術分野】
【０００１】
本発明は、プラズマディスプレイパネルに関し、特に、プラズマディスプレイパネルの駆動方法に関する。
【背景技術】
【０００２】
最近、 平板ディスプレイ装置として、大型パネルの製作が容易なプラズマディスプレイパネル(Ｐｌａｓｍａ Ｄｉｓｐｌａｙ Ｐａｎｅｌ)が注目されている。プラズマディスプレイパネルは、通常、デジタルビデオデータによって画素それぞれのガス放電期間を調節することで画素を表示する。このようなプラズマディスプレイパネルとしては、図１のように、３つの電極を備え、交流電圧により駆動される交流型プラズマディスプレイパネルが代表的なものである。
【０００３】
図１は、一般の交流型プラズマディスプレイパネルを構成する一つの放電セルを拡大して示すものである。図１に示されている放電セル３０は、上部誘電体層１４及び保護膜１６を有する上部基板１０と、前記上部基板１０上に順次形成されたスキャン電極及びサステイン電極１２Ａ、１２Ｂと、下部誘電体層２２、隔壁２４ 及び蛍光体層２６を有する下部基板１８と、前記下部基板１８上に順次形成されたアドレス電極２０と、 を備える。
【０００４】
スキャン電極１２Ａとサステイン電極１２Ｂのそれぞれは、透明電極と、 その透明電極の高い抵抗を補償するための金属電極とから構成される。スキャン電極１２Ａは、アドレス放電のためのスキャン信号と、サステイン放電のためのサステイン信号とを供給する。サステイン電極１２Ｂは、主としてサステイン信号を供給する。アドレス電極２０は、スキャン電極１２Ａとサステイン電極１２Ｂと交差して形成される。このアドレス電極２０は、アドレス放電のためのデータ信号を供給する。
【０００５】
上部誘電体層１４と下部誘電体層２２には、放電により生成された電荷が蓄積される。保護膜１６は、放電の際に、スパッタリングによる上部誘電体層１４の損傷を防止し、２次電子の放出效率を増加させる。このような誘電体層１４、２２と保護膜１６により、外部から印加される放電電圧が低くなる。
【０００６】
隔壁２４は、上下部基板１０、１８と共に放電空間を形成する。また、隔壁２４は、アドレス電極２０と並んで形成され、ガス放電により生成された紫外線の隣接セルへの漏れを防止する。
【０００７】
蛍光体層２６は、下部誘電体層２２及び隔壁２４の表面に塗布され、赤色、緑色または青色の可視光を発生する。放電空間には、ガス放電のためのＨｅ、Ｎｅ、Ａｒ、Ｘｅ、Ｋｒなどの不活性ガス、これらを組み合わせた放電ガス、または放電により紫外線を発生させるエキシマ(Ｅｘｃｉｍｅｒ)ガスが充填される。
【０００８】
このような構造の放電セル３０は、アドレス電極２０とスキャン電極１２Ａによる対向放電で選択された後、スキャン電極１２Ａとサステイン電極１２Ｂとによる面放電で放電を維持する。これにより、放電セル３０では、サステイン放電の際に発生する紫外線により蛍光体２６が発光するによって可視光が放出される。
【０００９】
この場合、放電セル３０は、ビデオデータによってサステイン放電期間、即ち、サステイン放電の回数を調節することで映像表示に必要な階調(Ｇｒａｙ Ｓｃａｌｅ)を具現する。また、赤色、緑色、青色の蛍光体２６がそれぞれ塗布された３つの放電セルを組み合わせ、一画素のカラーを具現する。
【００１０】
図２は、従来のプラズマディスプレイパネルの駆動波形を示すものである。図２に示されているように、プラズマディスプレイパネルは、全画面を初期化させるための初期化期間、セルを選択するためのアドレス期間及び選択されたセルの放電を保持させるためのサステイン期間に分けられて駆動される。
【００１１】
初期化期間において、セットアップ(ｓｅｔ−ｕｐ)期間(ＳＵ)には、全スキャン電極ライン(Ｙ)に立上りランプパルス(Ｒａｍｐ−ｕｐ)が同時に印加される。この立上りランプパルスにより全画面のセル内には、暗放電が起こる。このセットアップ放電により、アドレス電極ライン(Ｘ)とサステイン電極ライン(Ｚ)上には、正極性の壁電荷が蓄積され、スキャン電極ライン(Ｙ)上には、負極性の壁電荷が蓄積されることとなる。
【００１２】
セットダウン期間(ＳＤ)においては、立下りランプパルス(Ｒａｍｐ−ｄｏｗｎ)が印加される。立下りランプパルス(Ｒａｍｐ−ｄｏｗｎ)は、立上りランプパルスのピーク電圧よりも低い正極性電圧から下がり始め、基底電圧(ＧＮＤ)または負極性の特定電圧レベルまで下がることで、セル内に過度に形成された壁電荷の一部を消去する。立下りランプパルス(Ｒａｍｐ−ｄｏｗｎ)により、アドレス放電が安定して起こることができるほどの壁電荷がセル内に均一に残留することとなる。
【００１３】
アドレス期間においては、スキャンパルス(Ｓｃａｎ)がスキャン電極ライン(Ｙ)に順次印加されると共にスキャンパルス(Ｓｃａｎ)に同期され、アドレス電極ライン(Ｘ)にデータパルス(ｄａｔａ)が印加される。
【００１４】
スキャンパルス(Ｓｃａｎ)とデータパルス(ｄａｔａ)との電圧差と、初期化期間に生成された壁電圧とが加わり、データパルス(ｄａｔａ)が印加されるセル内には、アドレス放電が発生する。アドレス放電により選択されたセル内には、サステイン電圧の印加時に放電を起こすほどの壁電荷が形成される。
【００１５】
サステイン電極ライン(Ｚ)には、セットダウン期間(ＳＤ)とアドレス期間において、スキャン電極ライン(Ｙ)との電圧差を減らし、スキャン電極ライン(Ｙ)との誤放電が起こらないようバイアス電圧(Ｚｄｃ)が印加される。
【００１６】
サステイン期間においては、スキャン電極ライン(Ｙ)とサステイン電極ライン(Ｚ)に交互にサステインパルス(Ｓｕｓ)が印加される。アドレス放電により選択されたセルは、セル内の壁電圧とサステインパルスとが加わり、サステインパルスが印加されるごとに、スキャン電極ライン(Ｙ)とサステイン電極ライン(Ｚ)との間にサステイン放電、即ち、表示放電が起こることとなる。
【００１７】
前記サステイン放電の完了後、パルス幅と電圧レベルの小さいランプ波形(Ｒａｍｐ−ｅｒｓ)がサステイン電極ライン(Ｚ)に供給され、全画面のセル内に残留する壁電荷を消去させる。
【００１８】
図３は、従来のスキャン電極駆動部の回路図である。従来のプラズマディスプレイパネルのスキャン電極駆動部は、初期化期間において、立上りランプパルス(Ｒａｍｐ−ｕｐ) 及び立下りランプパルス(Ｒａｍｐ−ｄｏｗｎ) を生成する。
【００１９】
まず、初期化期間において、セットアップスィッチ(Ｑ５)と第７のスィッチ(Ｑ７)とがターンオンされる。この時、サステインパルス供給部４０からサステイン電圧(Ｖｓ)が印加される。サステイン電圧(Ｖｓ)は、第６のスィッチ(Ｑ６)のボディーダイオード(ｂｏｄｙ ｄｉｏｄｅ)、第７のスィッチ(Ｑ７)及びスキャン(ＩＣ)４８を経て、スキャン電極ラインに供給される。
【００２０】
この時、第２のキャパシタ(Ｃ２)の負極性端子にサステイン電圧(Ｖｓ)が印加されるため、第２のキャパシタ(Ｃ２)は、サステイン電圧とセットアップ電圧との和(Ｖｓ＋Ｖｓｅｔｕｐ)を第５のスィッチ(Ｑ５)に供給する。
【００２１】
第５のスィッチ(Ｑ５)は、自らの前段に設けられた第１の可変抵抗(ＶＲ１)と第３のキャパシタ(Ｃ３)により、第２のキャパシタ(Ｃ２)から供給される電圧を所定の傾きをもってノード点(ｎ１)に供給する。
【００２２】
第１のノード点(ｎ１)に所定の傾きをもって印加される電圧は、第７のスィッチ(Ｑ７)及びスキャンＩＣ４８を経て、スキャン電極ラインに印加される。これによりスキャン電極ラインに、立上りランプパルス(Ｒａｍｐ−ｕｐ)が印加される。
【００２３】
スキャン電極ラインに立上りランプパルス(Ｒａｍｐ−ｕｐ)が印加された後、第５のスィッチ(Ｑ５)は、ターンオフされる。第５のスィッチ(Ｑ５)がターンオフされると、サステインパルス供給部４０から供給されるＶｓの電圧のみが第１のノード点(ｎ１)に印加され、これによりスキャン／サステイン電極の電圧は、Ｖｓに急激に立ち下がる。
【００２４】
以後、セットダウン期間(ＳＤ)において、第７のスィッチ(Ｑ７)がターンオフされると共に第１０のスィッチ(Ｑ１０)がターンオンされる。第１０のスィッチ(Ｑ１０)は、自らの前段に設けられた第２の可変抵抗(ＶＲ２)によりチャンネルの幅が調節されながら第２のノード(ｎ２)の電圧を、書き込みスキャン電圧(−Ｖｗ)に所定の傾きをもってたち下がらせる。この時、スキャン電極ラインに立下りランプパルス(Ｒａｍｐ−ｄｏｗｎ) が印加される。
【００２５】
ところが、このような従来の駆動波形では、各サーブフィールドのリセット区間で高電圧のリセットパルスが印加されるため、暗放電が発生する。リセット区間では光が放出されないことが理想であるが、リセットパルスによる暗放電により光が放出されてしまう。
【００２６】
暗放電による光の発生は、プラズマディスプレイパネルのコントラスト比(ｃｏｎｔｒａｓｔ ｒａｔｉｏｎ)の向上を妨げる主な要因になり、低いコントラスト比は、プラズマディスプレイパネルの鮮明度を落としてしまう。
【発明の開示】
【発明が解決しようとする課題】
【００２７】
本発明は、従来技術の問題点を解決するために案出したものであって、本発明の目的は、高いコントラスト比を支援するプラズマディスプレイパネルの駆動方法及び駆動装置を提供することにある。
【課題を解決するための手段】
【００２８】
前記目的を達成するために、本発明の実施の形態によるプラズマディスプレイパネルの駆動方法は、多数のスキャン電極ラインが、ｍ(ｍは、２以上の整数)個のグループに分けられて駆動されるプラズマディスプレイパネルの駆動方法であって、特定フレームにおいて、前記ｍ個のグループのうち一つ以上のグループに属する前記スキャン電極ラインに、第１の電圧を有するｐ(ｐは、１以上の自然数)個の第１のリセットパルスが印加されるステップと、前記特定フレームにおいて、前記一つ以上のグループを除いた残りのグループに属する前記スキャン電極ラインに、前記第１の電圧と異なる第２の電圧を有するｑ(ｑは、１以上の自然数)個の第２のリセットパルスが同時に印加されるステップとを含む。
【００２９】
前記ｐ個の第１のリセットパルスと、前記ｑ個の第２のリセットパルスとは、前記特定フレームを構成するサーブフィールドのリセット区間に印加される。
【００３０】
特定フレームにおいて、前記ｍ個のグループのうち一つ以上のグループに属するスキャン電極ラインに、第１のリセットパルスが印加され、残りのグループに属するスキャン電極には、第２のリセットパルスが印加され、前記第１のリセットパルスが印加された一つ以上のグループに属するスキャン電極ラインには、前記特定フレームにおいて、一つ以上のフレーム以後に、前記第１のリセットパルスが印加され、前記第２のリセットパルスが印加されたグループに属するスキャン電極ラインには、前記特定フレームの次のフレームに、前記第１のリセットパルスが印加される。
【００３１】
前記第１の電圧は、前記第２の電圧よりも大きい。
【００３２】
本発明の実施の形態によるプラズマディスプレイパネルの駆動方法は、セットアップ放電を起こすための初期化信号を用いて放電セルを初期化するプラズマディスプレイパネルの駆動方法であって、一フレーム期間において、高電圧の前記初期化信号を少なくとも一つのスキャン電極に印加するステップと、前記フレーム期間において、前記高電圧の初期化信号が印加されたスキャン電極以外のスキャン電極に、低電圧の前記初期化信号を印加するステップとを含む。
【００３３】
前記高電圧の初期化信号が印加されるスキャン電極を、フレーム期間単位でシフトする。
【００３４】
前記低電圧の初期化信号が印加されるスキャン電極を、フレーム期間単位でシフトする。
【００３５】
前記高電圧の初期化信号は、所定個数のフレーム単位で同一のスキャン電極に印加される。
【００３６】
本発明の一実施の形態によるプラズマディスプレイパネルの駆動装置は、多数のスキャン電極ラインが、ｍ(ｍは、２以上の整数)個のブロックに分けられて駆動されるプラズマディスプレイパネルの駆動装置であって、特定フレームにおいて、前記ｍ個のブロックのうち一つ以上のブロックに属する前記スキャン電極ラインに、第１の電圧を有するｐ(ｐは、１以上の自然数)個の第１のリセットパルスを生成して供給し、前記特定フレームにおいて、前記一つ以上のブロックを除いた残りのブロックに属する前記スキャン電極ラインに、前記第１の電圧と異なる第２の電圧を有するｑ(ｑは、一つ以上の自然数)個の第２のリセットパルスを生成して供給するリセット駆動回路を備える。
【発明の効果】
【００３７】
本発明によるプラズマディスプレイパネルの駆動方法及び駆動装置は、駆動回路を変動することなく強放電のリセットパルスと弱放電のリセットパルスを交互に印加することによって、プラズマディスプレイパネルの高いコントラスト比を支援することができる。
【発明を実施するための最良の形態】
【００３８】
前記目的の外、本発明の他の目的及び特徴は、添付図面を参照した実施の形態による説明により明白になるだろう。
【００３９】
以下、本発明の実施の形態を添付図面を参照しながら詳しく説明する。
【００４０】
図４は、本発明のプラズマディスプレイパネルの駆動方法による波形図である。図４に示されているように、スキャン電極ラインをｍ個のグループに分け、Ｎ個のフレーム(1ｓｔ ｆｒａｍｅ乃至Ｎｔｈ ｆｒａｍｅ)のうち何れか一つのフレームにおいて、各グループに属するスキャン電極ラインに、強放電のリセットパルスが印加され、残りのフレームに弱放電のリセットパルスが印加され、各グループに属するスキャン電極ラインに強放電のリセットパルスが印加されるフレームは、互い異なることを特徴とする。
【００４１】
この時、 強放電のリセットパルスが印加されるフレームの順番は、グループの順番と同様であることが望ましい。即ち、一番目のグループに属するスキャン電極ラインには、強放電パルスが一番目のフレーム(1ｓｔ ｆｒａｍｅ)に印加され、二番目のグループに属するスキャン電極ラインには、強放電パルスが二番目のフレーム(２ｎｄ ｆｒａｍｅ)に印加され、Ｎ番目のグループに属するスキャン電極ラインには、強放電パルスがＮ番目のフレーム(Ｎｔｈ ｆｒａｍｅ)に印加されることが望ましい。
【００４２】
このように、強放電のリセットパルスがフレームごとにスキャン電極ラインに印加されずに、Ｎ個のフレームのうち一つのフレームのみに印加されるため、従来の駆動方法に比べてコントラスト比が極端に増加する。
【００４３】
図５は、スキャン電極ラインを３つのグループに分け、本発明によるプラズマディスプレイパネルの駆動方法を適用した時の波形図である。図５に示されているように、スキャン電極ラインを３つのグループ(ｍ＝３)に分けると、Ｙ１−Ｙ４−Ｙ７−……−Ｙｎ−２が第１のグループになり、Ｙ２−Ｙ５−Ｙ８−……−Ｙｎ−1が第２のグループになり、Ｙ３−Ｙ６−Ｙ９−……−Ｙｎが第３のグループになる。
【００４４】
第１のグループに属するスキャン電極ライン(Ｙ1、Ｙ４、Ｙ７、……、Ｙｎ−２)には、３個のフレームのうち一番目のフレーム(1ｓｔ ｆｒａｍｅ)において、強放電のリセットパルスが印加され、 二番目のフレーム(２ｎｄ ｆｒａｍｅ)と三番目のフレーム(３ｒｄ ｆｒａｍｅ)においては、弱放電のリセットパルスが印加される。
【００４５】
第２のグループに属するスキャン電極ライン(Ｙ２、Ｙ５、Ｙ８、……、Ｙｎ−1)には、３個のフレームのうち二番目のフレーム(２ｎｄ ｆｒａｍｅ)において、強放電のリセットパルスが印加され、一番目のフレーム(1ｓｔ ｆｒａｍｅ)と三番目のフレーム(３ｒｄ ｆｒａｍｅ)においては、弱放電のリセットパルスが印加される。
【００４６】
第３のグループに属するスキャン電極ライン(Ｙ３、Ｙ６、Ｙ９、……、Ｙｎ)には、３個のフレームのうち三番目のフレーム(３ｒｄ ｆｒａｍｅ)において、強放電のリセットパルスが印加され、一番目のフレーム(１ｓｔ ｆｒａｍｅ)と二番目のフレーム(２ｎｄ ｆｒａｍｅ)においては、弱放電のリセットパルスが印加される。
【００４７】
この時、 第１のグループに属するスキャン電極ライン(Ｙ1、Ｙ４、Ｙ７、……、Ｙｎ−２)に、三番目のフレーム(1ｓｔ ｆｒａｍｅ)において、強放電のリセットパルスが印加され、第２のグループに属するスキャン電極ライン(Ｙ２、Ｙ５、Ｙ８、……、Ｙｎ−１)に、２番目のフレーム(２ｓｔ ｆｒａｍｅ)において、強放電のリセットパルスが印加され、第３のグループに属するスキャン電極ライン(Ｙ３、Ｙ６、Ｙ９、……、Ｙｎ)に、一番目のフレーム(１ｓｔ ｆｒａｍｅ)において、強放電のリセットパルスが印加されることも可能である。
【００４８】
即ち、各グループに属するスキャン電極ラインに強放電のリセットパルスが印加されるフレームは、互い異なるだけで良く、強放電のリセットパルスが印加されるフレームの順番とグループの順番とが同様であることが望ましい。
【００４９】
このような駆動方法は、一つのフレームに対して、拡張して適用することが可能である。
【００５０】
即ち、多数のスキャン電極ラインが、ｍ(ｍは、２以上の整数)個のグループに分けられて駆動され、特定フレームにおいて、ｍ個のグループのうち一つ以上のグループに属するスキャン電極ラインに、第１の電圧を有するｐ(ｐは、１以上の自然数)個の強放電のリセットパルスが印加され、前記特定フレームにおいて、強放電のリセットパルスが印加された一つ以上のグループを除いた残りのグループに属するスキャン電極ラインに、第１の電圧と異なる第２の電圧を有するｑ(ｑは、１以上の自然数)個の弱放電のリセットパルスが同時に印加される。
【００５１】
言い換えれば、１０個または１２個のサーブフィールドが存在する特定フレームにおいて、一つ以上のグループに、ｐ個のサーブフィールドそれぞれのリセット区間に、強放電のリセットパルスが印加される。また、同一の一フレーム期間において、一つ以上のグループに強放電のリセットパルスが印加されると、これと同時に、残りのグループに、ｑ個のサーブフィールドそれぞれのリセット区間に、弱放電のリセットパルスが印加される。
【００５２】
本発明は一つのフレームだけではなく、フレームと次のフレームに対して、拡張して適用することも可能である。
【００５３】
即ち、特定フレームにおいて、ｍ個のグループのうち一つ以上のグループに属するスキャン電極ラインに、強放電のリセットパルスが印加され、残りのグループに属するスキャン電極には、弱放電のリセットパルスが印加され、強放電のリセットパルスが印加された一つ以上のグループに属するスキャン電極ラインには、前記特定フレームにおいて、一つ以上のフレーム以後に、強放電のリセットパルスが印加され、弱放電のリセットパルスが印加されたグループに属するスキャン電極ラインには、前記特定フレームの次のフレームに、強放電のリセットパルスが印加される。
【００５４】
言い替えれば、特定フレームにおいて、一つ以上のグループに強放電のリセットパルスが印加されたら、次のフレームにおいては、強放電のリセットパルスが印加された一つ以上のグループに弱放電のリセットパルスが印加される。
【００５５】
従って、前記特定フレームの次のフレームにおいて、強放電のリセットパルスが印加された一つ以上のグループを除いた残りのグループのうち何れか一つのグループに強放電のリセットパルスが印加され、残りのグループに弱放電のリセットパルスが印加される。この時、残りのグループには、特定フレームにおいて強放電のリセットパルスが印加された一つ以上のグループも含まれる。
【００５６】
図６は、本発明の駆動方法による強放電のリセットパルスを示すものであり、図７は、本発明の駆動方法による弱放電のリセットパルスを示すものであり、図８は、従来の駆動方法によるリセットパルスを示すものである。
【００５７】
図６に示されているように、本発明の駆動方法に使用される強放電のリセットパルスは、アドレス期間における既にスキャンされているか、またはスキャンされていないスキャン電極ラインに印加されるスキャンバイアス電圧(Ｖｓｃ)に急激に立ち上がり、第１の傾きでスキャンバイアス電圧(Ｖｓｃ)とサステイン電圧(Ｖｓ)との和まで立ち上がってから保持し、第２の傾きでスキャンバイアス電圧(Ｖｓｃ)、サステイン電圧(Ｖｓ)及びランプ電圧(Ｖｒａｍｐ)の和まで立ち上がる。
【００５８】
この時、スキャンバイアス電圧(Ｖｓｃ)は１００Ｖであり、サステイン電圧(Ｖｓ)は２００Ｖであり、ランプ電圧(Ｖｒａｍｐ)は１００Ｖであるため、本発明の駆動方法に使用される強放電のリセットパルスは４００Ｖまで立ち上がる。また、第１の傾きと第２の傾きとの大きさは同様である。
【００５９】
このような強放電パルス及び弱放電パルスは、新しい駆動回路ではなく、図３に示されている従来の駆動回路を用いて具現することが可能である。
【００６０】
まず、スィッチ(Ｑ８)とスィッチ(Ｑ１４)のターンオンにより、スキャンバイアス電圧(Ｖｓｃ)がパネル(Ｃ)に印加される。これにより、スキャン電極ラインの電位は、０Ｖからスキャンバイアス電圧(Ｖｓｃ)の１００Ｖまで急激に立ち上がる。
【００６１】
次に、スィッチ(Ｑ３)とスィッチ(Ｑ５)がターンオンし、スキャン電極ラインにサステイン電圧(Ｖｓ)が印加される。この時、スィッチ(Ｑ５)は、アクティブ(ａｃｔｉｖｅ)で作動するため、スキャン電極ラインの電位は、第１の傾きをもって立ち上がる。従って、スキャン電極ラインの電位は、スキャンバイアス電圧(Ｖｓｃ)とサステイン電圧(Ｖｓ)との和である。この時、スキャンバイアス電圧(Ｖｓｃ)が１００Ｖであり、サステイン電圧(Ｖｓ)は２００Ｖであるため、スキャン電極ラインの電位は３００Ｖまで立ち上がる。
【００６２】
続いて、従来の立上りランプパルス(Ｒａｍｐ−ｕｐ)が形成されるためのセットアップ電圧(Ｖｓｅｔｕｐ)が、スィッチ(Ｑ５)を介してスキャン電極ラインに印加される。従って、スキャン電極ラインの電位は、スキャンバイアス電圧(Ｖｓｃ)とサステイン電圧(Ｖｓ)とランプ電圧(Ｖｒａｍｐ)との和である。即ち、スキャン電極ラインの電位は、３００Ｖから第２の傾きをもって４００Ｖまで立ち上がる。この時、第１の傾きと第２の傾きとの大きさは同様である。ランプ電圧(Ｖｒａｍｐ)は、セットアップ電圧(Ｖｓｅｔｕｐ)により形成される。
【００６３】
図８に示されているように、セットアップ電圧(Ｖｓｅｔｕｐ)は２００Ｖである。従って、従来のリセットパルスは、セットアップ電圧(Ｖｓｅｔｕｐ)とサステイン電圧(Ｖｓ)との和の４００Ｖまで立ち上がる。
【００６４】
本発明の強放電のリセットパルスを形成するために、セットアップ電圧(Ｖｓｅｔｕｐ)をそのまま利用すると、強放電のリセットパルスは５００Ｖ(=Ｖｓｃ＋Ｖｓ＋Ｖｓｅｔｕｐ)まで立ち上がる。強放電のリセットパルスが５００Ｖまで立ち上がると、パネル(Ｃ)に規格以上の電圧が加えられるため、放電の特性が悪くなる。
【００６５】
これにより、本発明の駆動方法による強放電のリセットパルスを形成するために、スキャン電極ラインの電位は、スキャンバイアス電圧(Ｖｓｃ)とサステイン電圧(Ｖｓ)との和から第２の傾きをもって立ち上がり、セットアップ電圧(Ｖｓｅｔｕｐ)の供給の遮断により、４００Ｖの地点で止まる。
【００６６】
図７に示されている弱放電パルスの形成は、前述の強放電パルスの形成過程において、スキャンバイアス電圧(Ｖｓｃ)が印加されることなく、直ちにサステイン電圧(Ｖｓ)とランプ電圧(Ｖｒａｍｐ)とにより形成される。
【００６７】
即ち、スキャン電極ラインの電位が、第３の傾きでサステイン電圧(Ｖｓ)の和まで立ち上がり、さらに第４の傾きで前記サステイン電圧(Ｖｓ)及びランプ電圧(Ｖｒａｍｐ)の和まで立ち上がることにより、弱放電パルスが形成される。
【００６８】
この時、第３の傾きは、第１の傾きとその大きさが同様であり、第４の傾きは、第２の傾きとその大きさが同様である。第１の傾き乃至は第４の傾きが同様であることが最も望ましい。
【００６９】
本発明の実施の形態によるセレクティブリセット(以下、"ＳＲ"という)パルスは、図９に示されているように、リセット期間のセットアップ期間(ＳＵ)には、全スキャン電極(Ｙ)に、立上りランプ波形(Ｒａｍｐ−ｕｐ)が同時に供給される。これと共に、サステイン電極(Ｚ)とアドレス電極(Ｘ)には、０[Ｖ]が供給される。立上りランプ波形(Ｒａｍｐ−ｕｐ)により、全画面のセル内において、スキャン電極(Ｙ)とアドレス電極(Ｘ)との間及びスキャン電極(Ｙ)とサステイン電極(Ｚ)との間には、弱放電のセットアップ放電が起こる。このセットアップ放電により、アドレス電極(Ｘ)とサステイン電極(Ｚ)上には、正極性(＋)の壁電荷が蓄積され、スキャン電極(Ｙ)上には、負極性(−)の壁電荷が蓄積される。リセット期間のセットダウン期間(ＳＤ)には、ほぼサステイン電圧(Ｖｓ)から下がり始め基底電圧(ＧＮＤ)や０[Ｖ]まで電圧が下がる立下りランプ波形(Ｒａｍｐ−ｄｏｗｎ)が、スキャン電極(Ｙ)に同時に供給される。この立下りランプ波形(Ｒａｍｐ−ｄｏｗｎ)がスキャン電極(Ｙ)に供給される間、サステイン電極(Ｚ)には、正極性のサステイン電圧(Ｖｓ)が供給され、アドレス電極(Ｘ)には、０[Ｖ]が供給される。この立下りランプ波形(Ｒａｍｐ−ｄｏｗｎ)が供給される時、スキャン電極(Ｙ)とサステイン電極(Ｚ)との間及びスキャン電極(Ｙ)とアドレス電極(Ｘ)との間で、弱放電のセットダウン放電が起こる。この時、セットダウン放電によりセットアップ放電の際に形成された壁電荷のうち、アドレス放電に不要な過渡壁電荷が消去される。このようなリセット期間における壁電荷の変化を見ると、アドレス電極(Ｘ)上の壁電荷の変化はほとんどなく、セットアップ放電の際に形成されたスキャン電極(Ｙ)上の負極性(−)壁電荷が、セットダウン放電により一部減少する。一方、サステイン電極(Ｚ)上には、セットアップ放電の際に、正極性の壁電荷が形成されたが、セットダウン放電の際に、シスキャン電極(Ｙ)の負極性の壁電荷の減少分だけ、自らに負極性の壁電荷が蓄積されることとなる。
【００７０】
アドレス期間においては、負極性スキャンパルス(ｓｃａｎ)が、スキャン電極(Ｙ)に順次供給されると共にスキャンパルス(ｓｃａｎ)に同期されることにより、アドレス電極(Ｘ)に正極性のデータパルス(ｄａｔａ)が供給される。スキャンパルス(ｓｃａｎ)とデータパルス(ｄａｔａ)との電圧差と、リセット期間に生成された壁電圧とが加わり、データパルス(ｄａｔａ)が供給されるオンセル内には、アドレス放電が発生する。アドレス放電により選択されたオンセル内には、サステイン電圧(Ｖｓ)の供給時放電を起こすほどの壁電荷が形成される。このアドレス期間において、サステイン電極(Ｚ)には、正極性直流電圧(Ｚｄｃ)が供給される。
【００７１】
サステイン期間においては、スキャン電極(Ｙ)とサステイン電極(Ｚ)に、交互にサステインパルス(ｓｕｓ)が供給される。アドレス放電により選択されたオンセルは、セル内の壁電圧とサステインパルス(ｓｕｓ)とが加わり、サステインパルス(ｓｕｓ)が供給されるごとに、スキャン電極(Ｙ)とサステイン電極(Ｚ)との間でサステイン放電、即ち、表示放電が発生する。
【００７２】
サステイン放電の完了後には、安定化期間が続く。安定化期間には、スキャン電極(Ｙ)に第１の安定化ランプ波形(Ｅｒｓ１)が供給され、サステイン電極(Ｚ)に第２の安定化ランプ波形(Ｅｒｓ２)が供給されることにより、全画面のセル内に残留する壁電荷が安定する。
【００７３】
このようなＳＲパルスと、上述した強放電のリセットパルス及び弱放電のリセットパルスを用いて、コントラスト比を向上させるためのプラズマ駆動方法に対して、図１０乃至図１８を参照しながら詳しく説明する。
【００７４】
図１０は、本発明の第２の実施の形態による強放電のリセットパルス及び弱放電のリセットパルスを用いるプラズマディスプレイパネルの駆動方法による波形図である。  
【００７５】
図１０を参照すれば、本発明の第２の実施の形態によるプラズマディスプレイパネルの駆動方法は、一フレーム内において、多数個のサーブフィールド、例えば、１０個乃至１２個に時分割され信号が供給されるスキャン電極ラインを、ｍ個のブロックに分ける。例えば、ｍが２の場合、奇数番目のスキャン電極ラインＹ１、Ｙ３、Ｙ５…を第１のロックに定義し、偶数番目のスキャン電極ラインＹ０、Ｙ２、Ｙ４…を第２のブロックに定義する場合、第１のサーブフィールド期間において、第１のブロックに強放電のリセットパルスを含む駆動波形が供給される間、第２のブロックには弱放電のリセットパルスを含む駆動波形が供給される。次に、第２のサーブフィールド期間において、第２のブロックに強放電のリセットパルスを含む駆動波形が供給される間、第１のブロックには弱放電のリセットパルスを含む駆動波形が印加される。同様の方法により、第１及び第２のブロックには、サーブフィールドごとに、交互に強放電のリセットパルス及び弱放電のリセットパルスを含む駆動波形が供給される。このような駆動波形が供給される本発明の第１の実施の形態による駆動方法は、従来のサーブフィールドごとに強放電のリセットパルスが供給される駆動方法に比べて、高明暗比（高コントラスト比）を達成することができる。
【００７６】
図１１は、本発明の第３の実施の形態による強放電のリセットパルス及び弱放電のリセットパルスを用いるプラズマディスプレイパネルの駆動方法による波形図である。
【００７７】
図１１を参照すれば、本発明の第３の実施の形態によるプラズマディスプレイパネルの駆動方法は、一フレーム内において、多数個のサーブフィールド、例えば、１０個乃至１２個に時分割され信号が供給されるスキャン電極ラインをｍ個のブロックに分ける。例えば、ｍが３個の場合、スキャン電極ラインＹ３、Ｙ６…などの３番目を含む３の倍数のスキャン電極ラインを第１のブロックに定義し、スキャン電極ラインＹ１、Ｙ４、Ｙ７…を第２のブロックに定義し、Ｙ２、Ｙ５、Ｙ８…を第３のブロックに定義する場合、第１のサーブフィールド期間において、第１のブロックに、強放電のリセットパルスを含む駆動波形が供給される間、第２のブロック及び第３のブロックには、弱放電のリセットパルスを含む駆動波形が供給される。次に、第２のサーブフィールド期間において、第２のブロックに強放電のリセットパルスを含む駆動波形が供給される間、第１のブロック及び第３のブロックには、弱放電のリセットパルスを含む駆動波形が印加される。また、第３のサーブフィールド期間において、第３のブロックに、強放電のリセットパルスを含む駆動波形が印加される間、第１及び第２のブロックには、弱放電のリセットパルスを含む駆動波形が供給される。同様の方法により、第１乃至第３のブロックには、３個のサーブフィールドごとに１回の強放電のリセットパルス及び２回の弱放電のリセットパルスを含む駆動波形が供給される。このような駆動波形が供給される本発明の第３の実施の形態による駆動方法は、従来のサーブフィールドごとに強放電のリセットパルスが供給される駆動方法に比べて、一層改善した高明暗比（高コントラスト比）を達成することができる。ここで、同一のサーブフィールド期間において、第１及び第３のブロックに供給される強放電パルスを含む駆動波形は、非順次的に、例えば、第１のブロック−第３のブロック−第２のブロックの順に供給されることができる。また、本発明の実施の形態によるプラズマディスプレイパネルの駆動方法は、ブロックの個数に限られない。即ち、ブロックは４〜７個程度のブロックに分けられることができる。
【００７８】
図１２は、本発明の第４の実施の形態による強放電のリセットパルス(ａｌｌ ｒｅｓｅｔ)及びＳＲパルスを用いるプラズマディスプレイパネルの駆動方法による波形図である。
【００７９】
図１２を参照すれば、本発明の第４の実施の形態によるブロックは、ｍ＝２の場合、パネルの全体を、隣接した２個のスキャン電極ラインをブロック単位で分け、全体水平解像度／２個のブロックで構成する。具体的に、各スキャン電極ラインＹｎ、Ｙｎ＋１、Ｙｎ＋２、Ｙｎ＋３、Ｙｎ＋４、Ｙｎ＋５…から奇数番目のスキャン電極ラインＹｎ＋１、Ｙｎ＋３、Ｙｎ＋５…を第１のブロックにし、偶数番目のスキャン電極ラインＹｎ、Ｙｎ＋２、Ｙｎ＋４…を第２のブロックに定義する場合、１フレーム(ＴＶ−ｆｉｅｌｄ)において、全セルで初期化放電を発生させる強放電のリセットパルス(ａｌｌ ｒｅｓｅｔ)を含む駆動波形が第１のブロックに印加される間、第２のブロックには、直前のサーブフィールドでオンされたセルのみで放電を起こすＳＲ(Ｓｅｌｅｃｔｉｖｅ Ｒｅｓｅｔ)パルスを含む駆動波形が印加される。次の２フレーム(ＴＶ−ｆｉｅｌｄ)において、第１のブロックにＳＲパルス(Ｓｅｌｅｃｔｉｖｅ Ｒｅｓｅｔ)を含む駆動波形が印加される間、第２のブロックに強放電のリセットパルス(ａｌｌ ｒｅｓｅｔ)を含む駆動波形が印加される。このような方式により、第１のブロック及び第２のブロックに、フレーム(ＴＶ−ｆｉｅｌｄ)ごとに、交互に供給される。ここで、各フレーム(ＴＶ−ｆｉｅｌｄ)において、第１及び第２のブロックに印加される強放電のリセットパルス(ａｌｌ ｒｅｓｅｔ)を含む駆動波形は、一フレーム(ＴＶ−ｆｉｅｌｄ)に含まれた多数個のサーブフィールドのうち少なくとも一つ以上に含まれ、多数個のサーブフィールドに供給される方式は、本発明の第１及び第２の実施の形態で述べた駆動方法により供給されることができる。例えば、本発明の第４の実施の形態による一フレーム(ＴＶ−ｆｉｅｌｄ)内における多数のサーブフィールドに印加されるプラズマディスプレイパネルの駆動方法は、偶数番目のスキャンラインに、一フレーム(ＴＶ−ｆｉｅｌｄ)内における多数個のサーブフィールドのうち一番目のサーブフィールドに、強放電リセット波形(ａｌｌ ｒｅｓｅｔ)が印加され、残りのサーブフィールドには、弱放電リセット波形(Ｓｅｌｅｃｔｉｖｅ Ｒｅｓｅｔ)が印加される。また、奇数番目のスキャンラインには、全体的に弱放電リセット波形(Ｓｅｌｅｃｔｉｖｅ Ｒｅｓｅｔ)が印加される。次のフレーム(２ＴＶ−ｆｉｅｌｄ)においては、奇数番目のスキャンラインに印加される駆動波形のうちフレーム内における多数個のサーブフィールドのうち一番目のサーブフィールドを除いた残りのサーブフィールドのうち何れか一つに強放電リセット波形(ａｌｌ ｒｅｓｅｔ)が印加され、残りのサーブフィールドには、弱放電リセット波形(Ｓｅｌｅｃｔｉｖｅ Ｒｅｓｅｔ)が印加される。この時、偶数番目のスキャンラインには、全体的に弱放電リセット波形(Ｓｅｌｅｃｔｉｖｅ Ｒｅｓｅｔ)が印加される。このような方式により、フレーム(ＴＶ−ｆｉｅｌｄ)単位で強放電リセット波形(ａｌｌ ｒｅｓｅｔ)が印加される時点を偶数及び奇数のスキャンラインに、交互に印加されるだけではなく、フレーム(ＴＶ−ｆｉｅｌｄ)単位で各サーブフィールドに印加される強放電リセット波形(ａｌｌ ｒｅｓｅｔ)が多数個のサーブフィールドのうち一つずつまたはそれ以上ずつ非順次的に印���される。結果として、本発明の第３の実施の形態によるプラズマディスプレイパネルの駆動方法は、強放電リセット波形(ａｌｌ ｒｅｓｅｔ)の供給を減らすことで高明暗比（高コントラスト比）を達成することができ、多数個のサーブフィールドに印加される強放電リセット波形(ａｌｌ ｒｅｓｅｔ)の時点を非順次に調節することで、順次に印加される際に発生し得る波状ノイズなどの画質の不具合を防止することができることとなる。
【００８０】
本発明の第４の実施の形態によるプラズマディスプレイパネルの駆動波形においては、ＳＲ波形を印加することから、オンセルの壁電荷を初期化することができる一方、プラズマディスプレイパネルの周りの状況によってオフセルへの制御が困難になる点が発生する。これにより、本発明の第５の実施の形態では、高明暗比（高コントラスト比）を達成すると共に、オンセル及びオフセルのいずれも制御できる弱放電パルスを用いる駆動波形を提案する。
【００８１】
図１３は、本発明の第５の実施の形態による強放電のリセットパルス(ａｌｌ ｒｅｓｅｔ)及び弱放電のリセットパルス(ｓｍａｌｌ ｒｅｓｅｔ)を用いるプラズマディスプレイパネルの駆動方法による波形図である。
【００８２】
図１３を参照すれば、本発明の第５の実施の形態によるブロックは、ｍ=２の場合、パネル全体を、隣接した２個のスキャン電極ラインのブロック単位で分け、全体水平解像度／２個のブロックで構成する。具体的に、各スキャン電極ラインＹｎ、Ｙｎ＋1、Ｙｎ＋２、Ｙｎ+３、Ｙｎ＋４、Ｙｎ＋５…から奇数番目のスキャン電極ラインＹｎ＋１、Ｙｎ＋３、Ｙｎ＋５…を第１のブロックにし、偶数番目のスキャン電極ラインＹｎ、Ｙｎ＋２、Ｙｎ＋４…を第２のブロックに定義する場合、１フレーム(ＴＶ−ｆｉｅｌｄ)において、全セルで初期化放電を発生させる強放電のリセットパルス(ａｌｌ ｒｅｓｅｔ)を含む駆動波形が第１のブロックに印加される間、第２のブロックには、上述した弱放電のリセットパルス(ｓｍａｌｌ ｒｅｓｅｔ)を含む駆動波形が印加される。次に、２フレーム(ＴＶ−ｆｉｅｌｄ)においては、第１のブロックに、ＳＲパルス(Ｓｅｌｅｃｔｉｖｅ Ｒｅｓｅｔ)を含む駆動波形が印加される間、第２のブロックに強放電のリセットパルス(ａｌｌ ｒｅｓｅｔ)を含む駆動波形が印加される。このような方式により、第１のブロック及び第２のブロックに、フレーム(ＴＶ−ｆｉｅｌｄ)ごとに、交互に供給される。ここで、各フレーム(ＴＶ−ｆｉｅｌｄ)において、第１及び第２のブロックに印加される強放電のリセットパルス(ａｌｌ ｒｅｓｅｔ)を含む駆動波形は、一フレーム(ＴＶ−ｆｉｅｌｄ)に含まれた多数個のサーブフィールドのうち少なくとも一つ以上に含まれ、多数個のサーブフィールドに供給される方式は、本発明の第２及び第３の実施の形態で述べた駆動方法により供給されることができる。このような方式により駆動される本発明の第４の実施の形態によるプラズマディスプレイパネルの駆動方法では、本発明の第２の実施の形態に比べて、強放電のリセットパルス(ａｌｌ ｒｅｓｅｔ)をより少なく印加することによって、一層改善した高明暗比（高コントラスト比）を達成することができる。
【００８３】
図１４は、本発明の第６の実施の形態による強放電のリセットパルス(ａｌｌ ｒｅｓｅｔ)及びＳＲ(Ｓｅｌｅｃｔｉｖｅ Ｒｅｓｅｔ)パルスを用いるプラズマディスプレイパネルの駆動方法による波形図である。ここで、本発明の第６の実施の形態によるＳＲパルスは、前述した弱放電のリセットパルス(ｓｍａｌｌ ｒｅｓｅｔ)に交替されることができる。
【００８４】
本発明の第６の実施の形態によるプラズマディスプレイパネルは、Ｙｎ、Ｙｎ＋４、Ｙｎ＋８…番目のスキャン電極ラインを第１のブロックに、Ｙｎ＋1、Ｙｎ＋５、Ｙｎ＋９…番目スキャン電極ラインを第２のブロックに、Ｙｎ＋２、Ｙｎ＋６、Ｙｎ＋１０…番目のスキャン電極ラインを第３のブロックに、Ｙｎ＋３、Ｙｎ＋７、Ｙｎ＋１１…番目のスキャン電極ラインを第４のブロックに定義する。このように、第１乃至第４のブロックを有する本発明の第６の実施の形態によるプラズマディスプレイパネルの駆動方法は、１フレーム(ＴＶ−ｆｉｅｌｄ)期間において、第１のブロックに強放電のリセットパルス(ａｌｌ ｒｅｓｅｔ)を含む駆動波形が印加される間、残りの第２乃至第４のブロックには、強放電のリセットパルス(ａｌｌ ｒｅｓｅｔ)の代りに、ＳＲパルスを含む駆動波形が印加される。２フレーム(２ＴＶ−ｆｉｅｌｄ)期間においては、第２のブロックに、強放電のリセットパルス(ａｌｌ ｒｅｓｅｔ)を含む駆動波形が印加される間、第２ブロックを除いた第１のブロックと、第３及び第４のブロックには、強放電のリセットパルスの代りに、ＳＲ(Ｓｅｌｅｃｔｉｖｅ Ｒｅｓｅｔ)パルスを含む駆動波形が印加される。このような方法により、３フレーム(ＴＶ−ｆｉｅｌｄ)期間においては、第３のブロックに、強放電のリセットパルス(ａｌｌ ｒｅｓｅｔ)を含む駆動波形が印加され、４フレーム(４TＶ−ｆｉｅｄ)期間においては、第４のブロックに、強放電のリセットパルス(ａｌｌ ｒｅｓｅｔ)を含む駆動波形が印加される。以後、４個のフレーム(ＴＶ−ｆｉｅｌｄ)ごとに、第１のブロック乃至第４のブロックに、強放電のリセットパルス(ａｌｌ ｒｅｓｅｔ)を含む駆動波形が印加される。
【００８５】
このような方法により印加される第６の実施の形態によるプラズマディスプレイパネルの強放電のリセットパルス(ａｌｌ ｒｅｓｅｔ)の印加方法は、図１５に示されているように、第１乃至第３のブロックに分けられるスキャン電極ラインにおいても、同様に適用することができる。具体的に、Ｙｎ乃至Ｙｎ＋２の水平ラインで形成された第１のブロック及び第３のブロックには、１フレーム(ＴＶ−ｆｉｅｌｄ)乃至３フレーム(ＴＶ−ｆｉｅｌｄ)において、強放電のリセットパルス(ａｌｌ ｒｅｓｅｔ)が順次印加され、このような強放電のリセットパルス(ａｌｌ ｒｅｓｅｔ)の印加方法は、以後３個のフレーム(ＴＶ−ｆｉｅｌｄ)ごとに、また、３個の水平ラインで形成された各ブロックごとに適用されることができる。
【００８６】
本発明の第６の実施の形態によるプラズマディスプレイパネルの駆動方法では、ｍ個(ｍは、自然数)のブロック単位で、各フレーム(ＴＶ−ｆｉｅｌｄ)ごとに、強放電のリセットパルス(ａｌｌ ｒｅｓｅｔ)を含む駆動波形が順次印加される。このような駆動方法は、ｍ個のブロック単位で、繰り返して強放電のリセットパルス(ａｌｌ ｒｅｓｅｔ)を含む駆動波形が印加されるため、全体的にストライプ現象が発生することとなる。
【００８７】
図１６は、本発明の第７の実施の形態による強放電のリセットパルス(ａｌｌ ｒｅｓｅｔ)及びＳＲ(Ｓｅｌｅｃｔｉｖｅ Ｒｅｓｅｔ)パルスを用いるプラズマディスプレイパネルの駆動方法による波形図である。ここで、本発明の第７の実施の形態によるＳＲパルスは、前述した弱放電のリセットパルスに交替されることができる。
【００８８】
ここで、本発明の第７の実施の形態によるプラズマディスプレイパネルの駆動方法は、本発明の第６の実施の形態によるプラズマディスプレイパネルの駆動方法に比べて、強放電のリセットパルス(ａｌｌ ｒｅｓｅｔ)を含む駆動波形の印加時点が異なることを除いては、同様の構成を有しているため、駆動波形の印加時点のみに対して記載する。
【００８９】
図１６を参照すれば、本発明の第７の実施の形態によるプラズマディスプレイパネルは、１フレーム(ＴＶ−ｆｉｅｌｄ)期間において、第1のブロックに強放電のリセットパルス(ａｌｌ ｒｅｓｅｔ)が含まれた駆動波形が供給され、第１のブロックを除いた第２乃至第４のブロックには、ＳＲ(Ｓｅｌｅｃｔｉｖｅ Ｒｅｓeｔ)パルスを含む駆動波形が印加される。次の２フレーム(ＴＶ−ｆｉｅｌｄ)期間においては、第３のブロックに強放電のリセットパルス(ａｌｌ ｒｅｓｅｔ)が含まれた駆動波形が供給され、第３のブロックを除いた第１のブロック、第２のブロック及び第４のブロックには、ＳＲ(Ｓｅｌｅｃｔｉｖｅ Ｒｅｓｅｔ)パルスを含む駆動波形が印加される。次の３フレーム(ＴＶ−ｆｉｅｌｄ)期間においては、第２のブロックに、強放電のリセットパルス(ａｌｌ ｒｅｓｅｔ)が含まれた駆動波形が供給され、第２のブロックを除いた第１のブロック、第３のブロック及び第４のブロックには、ＳＲ(Ｓｅｌｅｃｔｉｖｅ Ｒｅｓｅｔ)パルスを含む駆動波形が印加される。次の４フレーム(ＴＶ−ｆｉｅｌｄ)期間においては、第４のブロックに、強放電のリセットパルス(ａｌｌ ｒｅｓｅｔ)が含まれた駆動波形が供給され、第４のブロックを除いた第１乃至第３のブロックには、ＳＲ(Ｓｅｌｅｃｔｉｖｅ Ｒｅｓｅｔ)パルスを含む駆動波形が印加される。このような方式により、４個のフレーム(ＴＶ−ｆｉｅｌｄ)ごとに、第１のブロック及び第４のブロックには、非順次的に強放電のリセットパルス(ａｌｌ ｒｅｓｅｔ)を含む駆動波形が印加される。
【００９０】
図１７は、本発明の第８の実施の形態による強放電のリセットパルス(ａｌｌ ｒｅｓｅｔ)及びＳＲ(Ｓｅｌｅｃｔｉｖｅ Ｒｅｓｅｔ)パルスを用いるプラズマディスプレイパネルの駆動方法による波形図である。ここで、本発明の第８の実施の形態によるＳＲパルスは、前述した弱放電のリセットパルスに交替されることができる。
【００９１】
ここで、本発明の第８の実施の形態によるプラズマディスプレイパネルの駆動方法は、本発明の第６の実施の形態によるプラズマディスプレイパネルの駆動方法に比べて、強放電のリセットパルス(ａｌｌ ｒｅｓｅｔ)を含む駆動波形の印加時点が異なることを除いては、同様の構成を有しているため、駆動波形の印加時点のみに対して記載する。
【００９２】
本発明の第８の実施の形態よるプラズマディスプレイパネルは、第１のブロック乃至第４のブロックにおけるＹｎ乃至Ｙｎ＋３のスキャン電極ラインからなる第１の縦ブロックと、第１乃至第４のブロックにおけるＹｎ＋４乃至Ｙｎ＋７、スキャン電極ラインからなる第２の縦ブロックと、同一な番号を付すことで第１乃至第４のブロックのＹｎ＋８乃至Ｙｎ＋１１のスキャン電極ラインからなる第３の縦ブロック…とを備える。ここで、奇数番目の縦ブロック、即ち、第１の縦ブロック、第３の縦ブロック…は、本発明の第７の実施の形態によるプラズマディスプレイパネルの駆動方法と同様の方法により駆動されるため、それに関する説明は略する。偶数番目の縦ブロック、即ち、第２の縦ブロック、第４の縦ブロック…におけるプラズマディスプレイパネルの駆動方法は、１フレーム(１ＴＶ−ｆｉｅｌｄ)から４フレーム(４ＴＶ−ｆｉｅｌｄ)期間において、第１のブロックから第４のブロックまで強放電のリセットパルス(ａｌｌ ｒｅｓｅｔ)を含む駆動波形が順次印加され、５フレーム(ＴＶ−ｆｉｅｌｄ)から８フレーム(５ＴＶ−ｆｉｅｌｄ乃至８ＴＶ−ｆｉｅｌｄ)期間において、第４のブロックから第１のブロックまで強放電のリセットパルス(ａｌｌ ｒｅｓｅｔ)を含む駆動波形が順次印加される。ここで、偶数番目の縦ブロックに供給される強放電のリセットパルス(ａｌｌ ｒｅｓｅｔ)を含む駆動波形の供給時点は、奇数番目の縦ブロックに供給される強放電のリセットパルス(ａｌｌ ｒｅｓｅｔ)を含む駆動波形の供給時点と異なって設定する。
【００９３】
このような方法により駆動される本発明の第８実施の形態によるプラズマディスプレイパネルの駆動方法は、各水平ラインで４個のフレーム(ＴＶ−ｆｉｅｌｄ)ごとに一つの強放電のリセットパルス(ａｌｌ ｒｅｓｅｔ)が印加されるため、リセットパルスによる暗放電を最小化することができる。これにより、本発明の第８の実施の形態によるプラズマディスプレイパネルの駆動方法は、本発明の第１の実施の形態に比べて、一層改善した高明暗比（高コントラスト比）を達成することができる。
【００９４】
本発明の実施の形態で具現されるプラズマディスプレイパネルの駆動方法は、強放電のリセットパルス(ａｌｌ ｒｅｓｅｔ)を含む駆動波形が印加される時点を、スキャン電極ラインの分割方法と、印加される強放電のリセットパルス(ａｌｌ ｒｅｓｅｔ)を含む駆動波形の個数及び、一フレーム(ＴＶ−ｆｉｅｌｄ)内に含まれるサーブフィールドの個数などによって様々に設定することができる。このような様々な設定のうち、実質、ストライプ現象を防止し、誤放電を減らすことができる最も望ましいプラズマディスプレイパネルのブロックの分け方は、図１６に示されているように、５個のブロック及び７個のブロック(図示せず)に分けて駆動する方法である。
【００９５】
図１８を参照すれば、本発明の第９の実施の形態によるプラズマディスプレイパネルは、Ｙｎ、Ｙｎ＋４…スキャン電極ラインを第１のブロックに、Ｙｎ＋1、Ｙｎ＋５…スキャン電極ラインを第２のブロックに、Ｙｎ＋２、Ｙｎ＋６…スキャン電極ラインを第３のブロックに、Ｙｎ＋３、Ｙｎ＋７…スキャン電極ラインを第４のブロックに、Ｙｎ＋４、Ｙｎ＋8…スキャン電極ラインを第５のブロックに定義し、１フレーム(ＴＶ−ｆｉｅｌｄ)において、第１のブロックに、強放電のリセットパルス(ａｌｌ ｒｅｓｅｔ)を含む駆動波形が印加される間、第２のブロック乃至第５のブロックには、ＳＲ(Ｓｅｌｅｃｔｉｖｅ Ｒｅｓｅｔ)パルスを含む駆動波形が印加される。ここで、本発明の第９の実施の形態によるプラズマディスプレイパネルの駆動方法では、ＳＲ(Ｓｅｌｅｃｔｉｖｅ Ｒｅｓｅｔ)パルスの代わりに、弱放電のリセットパルスを使用することができる。２フレーム(ＴＶ−ｆｉｅｌｄ)においては、第２のブロックに、強放電のリセットパルス(ａｌｌ ｒｅｓｅｔ)を含む駆動波形が印加される間、第１のブロック、第３乃至第５のブロックには、ＳＲ(Ｓｅｌｅｃｔｉｖｅ Ｒｅｓｅｔ)パルスを含む駆動波形が印加される。同様の方法により、第３乃至第５のブロックに、強放電のリセットパルス(ａｌｌ ｒｅｓｅｔ)を含む駆動波形が印加され、それと同時に、そのブロックを除いたブロックに、ＳＲ(Ｓｅｌｅｃｔｉｖｅ Ｒｅｓｅｔ)パルスを含む駆動波形が印加される。ここで、第１のブロック乃至第５のブロックに、強放電のリセットパルス(ａｌｌ ｒｅｓｅｔ)を含む駆動波形が印加される順は、非順次的に供給されることが望ましく、実験的に第１のブロック−第３のブロック−第５のブロック−第２のブロック−第４のブロックの順に供給されることが望ましい。
【００９６】
また、本発明の実施の形態によるプラズマディスプレイパネルが、本発明の第９の実施の形態と同様の方法により、第１のブロック乃至第７のブロックに分けられる場合、強放電のリセットパルス(ａｌｌ ｒｅｓｅｔ)を含む駆動波形が印加される順は、非順次的に印加され、実験的に第１のブロック−第３のブロック−第５のブロック−第７のブロック−第２のブロック−第４のブロック−第６のブロックの順に供給されることが望ましい。
【００９７】
要するに、多数のスキャン電極ラインが、ｍ(ｍは、２以上の整数)個のブロックに分けられて駆動され、１０個または１２個のサーブフィールドが存在する特定フレームにおいて、ｍ個のグループのうち一つ以上のブロックに属するスキャン電極ラインのサーブフィールドの間、第１の電圧を有するｐ(ｐは、１以上の自然数)個の強放電のリセットパルスが印加され、前記特定フレームにおいて、強放電のリセットパルスが印加された一つ以上のブロックを除いた残りのグループに属するスキャン電極ラインに、第１の電圧と異なる第２の電圧を有するｑ(ｑは、１以上の自然数)個の弱放電のリセットパルスが同時に印加される。
【００９８】
また、多数個のフレーム(ＴＶ−ｆｉｅｌｄ)、例えば、６０Ｈｚ周波数を使用するフレーム(ＴＶ−ｆｉｅｌｄ)の分割方式では、６０フレーム(ＴＶ−ｆｉｅｌｄ)において、一つ以上のブロックに、ｐ個の強放電のリセットパルスを含む駆動波形が印加され、同一のフレーム(ＴＶ−ｆｉｅｌｄ)において、強放電のリセットパルスを含む駆動波形が印加されるブロックを除いた残りのブロックに、ｑ個の弱放電のリセットパルスを含む駆動波形が印加される。ここで、多数のブロックに供給されるｐ個の強放電のリセットパルスは、非順次的に印加される。  
【００９９】
このように、本発明による駆動方法は、駆動回路を変動することなく強放電のリセットパルスと弱放電のリセットパルスとを交互に印加することによって、プラズマディスプレイパネルの高いコントラスト比を支援することができる。
【０１００】
一方、本発明の各実施の形態によるブロックの分け方を要約すると、多数個のスキャンライン、即ち、Ｙ０、Ｙ１、Ｙ２、Ｙ３、Ｙ４、Ｙ５…Ｙｎ−５、Ｙｎ−４、Ｙｎ−３、Ｙｎ−２、Ｙｎ−1、Ｙｎにおいて、第１のブロックの分け方は、ブロックを２個に分け、各ブロックは、偶数番目のスキャンラインと奇数番目のスキャンラインとを含む。第２のブロックの分け方は、ブロックを３個に分け、第１のブロックは、Ｙ０、Ｙ３、Ｙ６…Ｙ(３ｎ)のスキャンラインを含み、第２のブロックは、Ｙ１、Ｙ４、Ｙ７…Ｙ(３ｎ＋１)のスキャンラインをみ、第３のブロックは、Ｙ２、Ｙ５、Ｙ８…Ｙ(３ｎ＋２)のスキャンラインを含む。
【０１０１】
上述したように、本発明による駆動方法及び駆動装置は、駆動回路を変動することなく強放電のリセットパルスと弱放電のリセットパルスとを交互に印加することによって、プラズマディスプレイパネルの高いコントラスト比を支援することができる。
【０１０２】
以上、説明した内容から、当業者であれば本発明の技術思想を逸脱しない範囲内で様々な変更及び修正が可能であることが分かるだろう。よって、本発明の技術的範囲は、明細書の詳細な説明に記載した内容に限定されるものではなく、特許請求の範囲により定めるべきである。
【図面の簡単な説明】
【０１０３】
【図１】一般の交流型プラズマディスプレイパネルを構成する一つの放電セルを拡大して示す図である。
【図２】従来のプラズマディスプレイパネルの駆動波形を示す図である。
【図３】従来のプラズマディスプレイパネルのスキャン電極駆動部の回路図である。
【図４】本発明の第１の実施の形態によるプラズマディスプレイパネルの駆動方法による波形図である。
【図５】スキャン電極ラインを３個のグループに分け、本発明によるプラズマディスプレイパネルの駆動方法を適用した時の波形図である。
【図６】本発明の実施の形態によるプラズマディスプレイパネルの強放電のリセットパルスを示す波形図である。
【図７】本発明の実施の形態によるプラズマディスプレイパネルの弱放電のリセットパルスを示す波形図である。
【図８】一般のリセットパルスを示す波形図である。
【図９】本発明の実施の形態によるプラズマディスプレイパネルのセレクティブリセットパルスを有する駆動波形図である。
【図１０】本発明の第２の実施の形態によるプラズマディスプレイパネルの駆動波形図である。
【図１１】本発明の第３の実施の形態によるプラズマディスプレイパネルの駆動波形図である。
【図１２】本発明の第４の実施の形態によるプラズマディスプレイパネルの駆動波形図である。
【図１３】本発明の第５の実施の形態によるプラズマディスプレイパネルの駆動波形図である。
【図１４】本発明の第６の実施の形態によるプラズマディスプレイパネルの駆動波形図である。
【図１５】図１４に示されている強放電のリセットパルスの他の印加方法を示す駆動波形図である。
【図１６】本発明の第７の実施の形態によるプラズマディスプレイパネルの駆動波形図である。
【図１７】本発明の第８の実施の形態によるプラズマディスプレイパネルの駆動波形図である。
【図１８】本発明の第９の実施の形態によるプラズマディスプレイパネルの駆動波形図である。
【図１】
2006154830.tif 000003
【図２】
2006154830.tif 000004
【図３】
2006154830.tif 000005
【図４】
2006154830.tif 000006
【図５】
2006154830.tif 000007
【図６】
2006154830.tif 000008
【図７】
2006154830.tif 000009
【図８】
2006154830.tif 000010
【図９】
2006154830.tif 000011
【図１０】
2006154830.tif 000012
【図１１】
2006154830.tif 000013
【図１２】
2006154830.tif 000014
【図１３】
2006154830.tif 000015
【図１４】
2006154830.tif 000016
【図１５】
2006154830.tif 000017
【図１６】
2006154830.tif 000018
【図１７】
2006154830.tif 000019
【図１８】
2006154830.tif 000020